(57)【要約】【課題】本発明は、スネアドラム独特の音の響きが向上するスネアワイヤの取付構造及びスネアドラムを提供することにある。【解決手段】スネアドラム１０には、スネアワイヤ１３，１４が、スネアフレーム１５を用いて取り付けられる。スネアフレーム１５をスネアドラム１０に接続する接続部材として、可撓性材料からなる紐１６が用いられる。スネアフレーム１５を用いてスネアワイヤ１３，１４をスネアドラム１０に取り付けた状態で、スネアワイヤ１３，１４のフレーム端部は、裏面ヘッド１２ｂの外周縁よりも外側にそれぞれ配置されている。【選択図】図１
2020134818.tif 000002
【特許請求の範囲】
【請求項１】
スネアフレームを用いてスネアワイヤをスネアドラムに取り付けるスネアワイヤの取付構造において、
スネアドラムは、
円筒状のシェルと、
前記シェルの上下開口端にそれぞれ装着される一対のドラムヘッドと、
前記スネアフレームを前記スネアドラムに接続する接続部材とを備え、
前記スネアワイヤは、
複数のワイヤからなる響線部と、
前記響線部の両端に設けられる一対の端プレートとを備え、
前記スネアフレームは、
前記スネアワイヤの長手方向に延びるフレーム本体と、
前記フレーム本体の両端に設けられ、前記スネアワイヤの端プレートが固定される一対のフレーム端部とを備え、
前記接続部材は、可撓性材料からなり、
前記スネアフレームを用いて前記スネアワイヤを前記スネアドラムに取り付けた状態で、前記一対のフレーム端部は、前記ドラムヘッドの外周縁よりも外側にそれぞれ配置されている、スネアワイヤの取付構造。
【請求項２】
請求項１に記載のスネアワイヤの取付構造において、
前記スネアドラムは、更に、前記シェルの外周面に設けられかつ前記接続部材が接続されるホルダを備え、
前記一対のフレーム端部は、前記ホルダの下方でかつ前記シェルの軸線方向から見て前記ホルダと重なる位置にそれぞれ配置されている、スネアワイヤの取付構造。
【請求項３】
請求項１又は２に記載のスネアワイヤの取付構造において、
前記接続部材は、前記ドラムヘッドの外周縁よりも内側で前記スネアフレームに接続される、スネアワイヤの取付構造。
【請求項４】
請求項１〜３のうちいずれか一項に記載のスネアワイヤの取付構造において、
前記接続部材は、前記接続部材の有効長さを変えずに、前記スネアフレーム及び前記スネアドラムのいずれかに対して着脱可能である、スネアワイヤの取付構造。
【請求項５】
請求項４に記載のスネアワイヤの取付構造において、
前記スネアフレームは、前記フレーム本体に前記接続部材が着脱される着脱部を有し、
前記着脱部は、前記フレーム本体の第１端部と第２端部とにそれぞれ対応して設けられ、
前記第１端部に対応する第１着脱部の位置は、前記フレーム本体の長手方向の中央を中心に、前記第２端部に対応する第２着脱部の位置と対称である、スネアワイヤの取付構造。
【請求項６】
請求項１〜５のうちいずれか一項に記載のスネアワイヤの取付構造において、
前記一対のフレーム端部は、前記スネアワイヤの端プレートが固定される複数の端プレート固定部をそれぞれ有し、
前記一対のフレーム端部のうち、第１フレーム端部に設けられた複数の端プレート固定部は、第２フレーム端部に設けられた複数の端プレート固定部と対をなすように配置されている、スネアワイヤの取付構造。
【請求項７】
請求項６に記載のスネアワイヤの取付構造において、
第１フレーム端部には、複数の端プレート固定部がそれぞれ独立して摺動可能に設けられ、
第２フレーム端部には、複数の端プレート固定部が一体となって摺動可能に設けられている、スネアワイヤの取付構造。
【請求項８】
請求項７に記載のスネアワイヤの取付構造において、
前記端プレート固定部は、
前記端プレートが引っ掛けられる引っ掛け部と、
前記引っ掛け部の下方に設けられ、前記フレーム本体の長手方向外側に突出するフランジと、
前記フランジの突出方向と直交する軸線を有するネジ孔とを備え、
前記端プレート固定部は、前記ネジ孔に螺合されたネジの頭部によって、前記引っ掛け部に引っ掛けられた前記端プレートが脱落するのを防止するように構成されている、スネアワイヤの取付構造。
【請求項９】
請求項１〜８のうちいずれか一項に記載のスネアワイヤの取付構造において、
前記スネアドラムは、更に、
前記シェルの外周面に設けられた複数のラグと、
前記複数のラグのネジ孔に螺合される複数のテンションボルトと、
前記複数のテンションボルトに装着され、前記スネアドラムの脚部として機能する複数の脚台座とを備え、
前記スネアフレームを用いて前記スネアワイヤを前記スネアドラムに取り付けた状態で、前記脚台座の下端は、前記フレーム本体の下縁よりも下方に突出している、スネアワイヤの取付構造。
【請求項１０】
スネアドラムであって、
円筒状のシェルと、
前記シェルの上下開口端にそれぞれ装着される一対のドラムヘッドと、
前記シェルの下開口端に装着されるドラムヘッドと接するように前記シェルに取り付けられるスネアワイヤと、
前記スネアワイヤを前記シェルに取り付けるのに用いられるスネアフレームと、
前記スネアフレームを前記シェルに接続する接続部材とを備え、
前記スネアワイヤは、複数のワイヤからなる響線部と、前記響線部の両端に設けられる一対の端プレートとを備え、
前記スネアフレームは、前記スネアワイヤの長手方向に延びるフレーム本体と、前記フレーム本体の両端に設けられ、前記スネアワイヤの端プレートが固定される一対のフレーム端部とを備え、
前記接続部材は、可撓性材料からなり、
前記スネアフレームを用いて前記スネアワイヤを前記シェルに取り付けた状態で、前記一対のフレーム端部は、前記ドラムヘッドの外周縁よりも外側にそれぞれ配置されている、スネアドラム。
【発明の詳細な説明】
【技術分野】
【０００１】
本発明は、スネアフレームを用いてスネアワイヤをスネアドラムに取り付けるスネアワイヤの取付構造及びスネアドラムに関する。
【背景技術】
【０００２】
スネアドラムは、円筒状のシェル、一対のドラムヘッド、スネアワイヤ、ストレイナーを備えている。一対のドラムヘッドは、フープと共に、シェルの上下開口端にそれぞれ装着される。スネアワイヤは、裏面ヘッドと接するように、スネアドラムに取り付けられる。ストレイナーは、シェルの外周面において演奏者が操作し易い位置に固定されている。
【０００３】
演奏者は、ストレイナーを操作することで、スネアワイヤの位置を、裏面ヘッドと接するオン位置、又は裏面ヘッドから離間したオフ位置に切り換える。また、演奏者は、スネアワイヤの位置をオン位置に切り換えた状態で上側のドラムヘッドである打面ヘッドを叩打して、スネアドラムを演奏する。このとき、打面ヘッド及び裏面ヘッドの振動音と共に、スネアワイヤの振動音が鳴らされることで、スネアドラム独特の音を響かせることができる。
【０００４】
スネアワイヤは、複数のワイヤからなる響線部と、響線部の両端に設けられる一対の端プレートとからなる。スネアワイヤは、響線部と裏面ヘッドとの接触態様に応じて、内面当たりのスネアワイヤと、全面当たりのスネアワイヤとに分けられる。内面当たりのスネアワイヤの全長は、裏面ヘッドの直径よりも小さい。このため、内面当たりのスネアワイヤは、響線部及び両端プレートの両方を裏面ヘッドに当接させてスネアドラムに取り付けられる。一方、全面当たりのスネアワイヤの全長は、裏面ヘッドの直径よりも大きい。このため、全面当たりのスネアワイヤは、両端プレートが裏面ヘッドの外周縁よりも外側にはみ出した状態で、響線部のみを裏面ヘッドに当接させてスネアドラムに取り付けられる。
【０００５】
通常、スネアワイヤは、ベルトや紐を用いてスネアドラムに取り付けられる。具体的には、スネアワイヤの両端プレートに引っ掛けられたベルトや紐を用いて、スネアワイヤの一方の端部を、ストレイナーの下部に設けられたホルダに接続し、スネアワイヤの他方の端部を、ストレイナーと反対側の位置で、シェルの外周面に設けられた保持具のホルダに接続する。演奏者は、スネアドラムを演奏する場合、ストレイナーを操作することにより、ベルトや紐を用いて、スネアワイヤを引っ張りながら、オン位置まで上昇させる。こうして、スネアワイヤに張力が加えられるのと同時に、スネアワイヤの位置がオフ位置からオン位置に切り換えられる。
【０００６】
しかしながら、上記のようなスネアワイヤの取付構造では、スネアワイヤの張力と、裏面ヘッドに対する響線部の接触量とを別々に調節することができない。このため、例えば、特許文献１〜特許文献７に記載のように、スネアフレームを用いてスネアワイヤをスネアドラムに取り付けるスネアワイヤの取付構造が提案されている。
【先行技術文献】
【特許文献】
【０００７】
【特許文献１】米国特許第３１１３４８１号明細書
【特許文献２】米国特許第８１９３４３５号明細書
【特許文献３】米国特許第３９８１２２０号明細書
【特許文献４】米国特許第４１３８９２０号明細書
【特許文献５】実開昭６０−１６３４９９号公報
【特許文献６】米国特許第７２２３９１０号明細書
【特許文献７】米国特許第７７４１５５０号明細書
【発明の概要】
【０００８】
特許文献１〜特許文献４に開示のスネアフレームはいずれも、紐を用いて、スネアワイヤの響線部及び両端プレートを裏面ヘッドに当接させてスネアドラムに取り付けられる。しかしながら、これら文献に開示のスネアワイヤの取付構造によれば、裏面ヘッドに対する響線部の接触量を大きくするために紐を強く引っ張ると、スネアワイヤの端プレートが裏面ヘッドの表面に食い込む。この場合、スネアワイヤの端プレートが裏面ヘッドの振動を妨げるため、打面ヘッド及び裏面ヘッドの振動音を響かせることができない。
【０００９】
特許文献５〜特許文献７に開示のスネアフレームはいずれも、ベルトや紐の代わりに、リンク部品を用いて、スネアドラムに取り付けられる。リンク部材は、金属等の剛性材料から形成されている。これら文献に開示のスネアワイヤの取付構造によれば、一対のリンク部材によりスネアフレームの長手方向の両端部が把持される。しかしながら、このようにスネアフレームがリンク部材と共にスネアドラムに一体化されるように固定されると、スネアフレームの振動が妨げられ易く、スネアワイヤの振動も妨げられ易い。このため、リンク部品を用いたスネアワイヤの取付構造は、ベルトや紐を用いた取付構造と比較して、スネアワイヤの振動音を響かせることができない。
【００１０】
このように、従来のスネアフレームには、スネアドラム独特の音の響きを阻害する構造上の問題がある。
【発明が解決しようとする課題】
【００１１】
本発明の目的は、スネアドラム独特の音の響きが向上するスネアワイヤの取付構造及びスネアドラムを提供することにある。
【課題を解決するための手段】
【００１２】
上記の目的を達成するために、請求項１に記載の発明は、スネアフレームを用いてスネアワイヤをスネアドラムに取り付けるスネアワイヤの取付構造において、スネアドラムは、円筒状のシェルと、シェルの上下開口端にそれぞれ装着される一対のドラムヘッドと、スネアフレームをスネアドラムに接続する接続部材とを備え、スネアワイヤは、複数のワイヤからなる響線部と、響線部の両端に設けられる一対の端プレートとを備え、スネアフレームは、スネアワイヤの長手方向に延びるフレーム本体と、フレーム本体の両端に設けられ、スネアワイヤの端プレートが固定される一対のフレーム端部とを備え、接続部材は、可撓性材料からなり、スネアフレームを用いてスネアワイヤをスネアドラムに取り付けた状態で、一対のフレーム端部は、ドラムヘッドの外周縁よりも外側にそれぞれ配置されていることを要旨とする。
【００１３】
この構成によれば、接続部材が可撓性材料からなるため、接続部材によってスネアフレームの振動が妨げられることはない。これにより、スネアワイヤの振動が妨げられないため、スネアワイヤの振動音を響かせることができる。また、一対のフレーム端部をドラムヘッドの外周縁よりも外側にそれぞれ配置したことで、ドラムヘッドに対してスネアワイヤの響線部のみを接触させることができる。つまり、ドラムヘッドに対する響線部の接触量を大きくするために接続部材を強く引っ張っても、端プレートがドラムヘッドの表面に食い込むことはない。これにより、端プレートによりドラムヘッドの振動が妨げられないため、ドラムヘッドの振動音も響かせることができる。従って、スネアドラム独特の音の響きが向上する。
【００１４】
請求項２に記載の発明は、請求項１に記載の発明において、スネアドラムは、更に、シェルの外周面に設けられかつ接続部材が接続されるホルダを備え、一対のフレーム端部は、ホルダの下方でかつシェルの軸線方向から見てホルダと重なる位置にそれぞれ配置されていることを要旨とする。
【００１５】
この構成によれば、一対のフレーム端部をホルダの直下にそれぞれ配置することができる。この場合、一対のフレーム端部がドラムヘッドの外周縁から外側へ離れた位置にそれぞれ配置されるため、ドラムヘッドの表面に対して、響線部の振動し易い部分を接触させることができる。これにより、全面当たりのスネアワイヤを効果的に振動させることができ、スネアワイヤの振動音をより一層響かせることができる。また、この場合、シェルの径方向外側へのスネアフレームの出っ張りが小さいため、スネアドラムの演奏時にスネアフレームが邪魔にならない。
【００１６】
請求項３に記載の発明は、請求項１又は２に記載の発明において、接続部材は、ドラムヘッドの外周縁よりも内側でスネアフレームに接続されることを要旨とする。
この構成によれば、接続部材は、ドラムヘッドの外周縁により折り曲げられた状態で、スネアフレームをスネアドラムに接続することができる。これにより、接続部材に一定の張力が作用している状態で、スネアフレームをスネアドラムに接続することができる。よって、打面ヘッドを傾斜させてスネアドラムを演奏する場合にも、スネアワイヤの響線部と裏面ヘッドの接触状態が良好に維持される。このため、スネアワイヤの振動音をより一層響かせることができる。
【００１７】
請求項４に記載の発明は、請求項１〜３のうちいずれか一項に記載の発明において、接続部材は、接続部材の有効長さを変えずに、スネアフレーム及びスネアドラムのいずれかに対して着脱可能であることを要旨とする。
【００１８】
この構成によれば、スネアフレーム及びスネアドラムのいずれかから接続部材を外すだけで、スネアドラムからスネアフレームを取り外すことができる。この場合、スネアフレームにスネアワイヤを固定したまま、スネアワイヤの張力を変えずに、スネアドラムからスネアフレームを取り外すことができる。また、ドラムヘッドに対して響線部が均一に接触するように接続部材の長さを調整した場合、調整後の接続部材の有効長さを変えずに、接続部材をスネアフレーム及びスネアドラムのいずれかに残したまま、スネアドラムからスネアフレームを取り外すこともできる。よって、この構成によれば、スネアドラムからスネアフレームを取り外した状態でも、スネアワイヤの張力や接続部材の長さを、調整後の状態にそれぞれ維持することができる。よって、前回演奏したときのスネアドラムの音を容易に再現することができる。
【００１９】
また、従来構成のように、スネアワイヤを取り外す度に、紐でスネアワイヤを引っ張ったり緩めたりすることがない。このため、スネアドラムからスネアフレームを容易に取り外すことができる。よって、ドラムヘッドの交換が容易に行えると共に、スネアワイヤの響線部への負荷を軽減することもできる。
【００２０】
請求項５に記載の発明は、請求項４に記載の発明において、スネアフレームは、フレーム本体に接続部材が着脱される着脱部を有し、着脱部は、フレーム本体の第１端部と第２端部とにそれぞれ対応して設けられ、第１端部に対応する第１着脱部の位置は、フレーム本体の長手方向の中央を中心に、第２端部に対応する第２着脱部の位置と対称であることを要旨とする。
【００２１】
この構成によれば、第１着脱部の位置が第２着脱部の位置と対称であるため、スネアドラムからスネアフレームを取り外した後、スネアフレームを、スネアドラムから取り外す前と逆向きにして、スネアドラムに取り付けることができる。また、この場合、前回演奏したときのスネアドラムの音を再現することもできる。
【００２２】
請求項６に記載の発明は、請求項１〜５のうちいずれか一項に記載の発明において、一対のフレーム端部は、スネアワイヤの端プレートが固定される複数の端プレート固定部をそれぞれ有し、一対のフレーム端部のうち、第１フレーム端部に設けられた複数の端プレート固定部は、第２フレーム端部に設けられた複数の端プレート固定部と対をなすように配置されていることを要旨とする。
【００２３】
この構成によれば、第１フレーム端部に設けられた複数の端プレート固定部を、第２フレーム端部に設けられた複数の端プレート固定部と対をなすように配置したことで、ストレートワイヤやコイルワイヤからなる種類の異なる複数のスネアワイヤを、スネアフレームに取り付けることができる。よって、種類の異なる複数のスネアワイヤによって、スネアドラム独特の音をより一層響かせることができる。
【００２４】
請求項７に記載の発明は、請求項６に記載の発明において、第１フレーム端部には、複数の端プレート固定部がそれぞれ独立して摺動可能に設けられ、第２フレーム端部には、複数の端プレート固定部が一体となって摺動可能に設けられていることを要旨とする。
【００２５】
この構成によれば、第１フレーム端部では、複数の端プレート固定部がそれぞれ独立して摺動可能であるため、複数のスネアワイヤの張力を別々に調整することができ、ドラムヘッドに対する響線部の接触量を微調整することができる。また、第２フレーム端部では、複数の端プレート固定部が一体となって摺動可能であるため、複数のスネアワイヤを同時に引っ張ったり緩めたりすることができる。これにより、スネアワイヤに張力を加えたりスネアワイヤの張力を解除したりする作業が容易となる。よって、スネアフレームに対してスネアワイヤを着脱する作業が容易となる。
【００２６】
請求項８に記載の発明は、請求項７に記載の発明において、端プレート固定部は、端プレートが引っ掛けられる引っ掛け部と、引っ掛け部の下方に設けられ、フレーム本体の長手方向外側に突出するフランジと、フランジの突出方向と直交する軸線を有するネジ孔とを備え、端プレート固定部は、ネジ孔に螺合されたネジの頭部によって、引っ掛け部に引っ掛けられた端プレートが脱落するのを防止するように構成されていることを要旨とする。
【００２７】
この構成によれば、スネアワイヤの端プレートを、スネアフレームの端プレート固定部の引っ掛け部に引っ掛ければ、端プレートは、端プレート固定部のフランジによって下方から支持される。これにより、スネアワイヤに一定の張力が作用している状態では、スネアワイヤの両端がスネアフレームに支持されるため、スネアワイヤがスネアフレームから脱落しなくなる。よって、スネアドラムの音調作業時において、スネアワイヤを交換する度にスネアワイヤの端プレートをスネアフレームにネジで固定する必要がない。
【００２８】
また、例えば、スネアドラムの演奏中にスネアワイヤの張力を調整する場合、スネアワイヤに張力が作用しない状態になることもある。この場合、スネアワイヤの端プレートは、端プレート固定部のネジ孔に螺合されたネジの頭部によって、下方から保持される。このため、スネアワイヤに張力が作用しない状態であっても、スネアワイヤはスネアフレームから脱落しなくなる。
【００２９】
また、この構成によれば、端プレートは、端プレート固定部にネジで固定されておらず、回動可能な状態で保持されている。このため、スネアフレームに固定されたスネアワイヤを両端から引っ張ることで、端プレートは、響線部の両端でそれぞれ回動すると共に、スネアワイヤの響線部に対して張力が均等に作用する位置へと動くことができる。
【００３０】
請求項９に記載の発明は、請求項１〜８のうちいずれか一項に記載の発明において、スネアドラムは、更に、シェルの外周面に設けられた複数のラグと、複数のラグのネジ孔に螺合される複数のテンションボルトと、複数のテンションボルトに装着され、スネアドラムの脚部として機能する複数の脚台座とを備え、スネアフレームを用いてスネアワイヤをスネアドラムに取り付けた状態で、脚台座の下端は、フレーム本体の下縁よりも下方に突出していることを要旨とする。
【００３１】
この構成によれば、スネアフレームを用いてスネアワイヤが取り付けられたスネアドラムを床面上に載置する場合、複数の脚台座によって、スネアフレームに負荷がかからないように、スネアフレームを床面よりも上方に配置することができる。
【００３２】
上記の目的を達成するために、請求項１０に記載の発明は、スネアドラムであって、円筒状のシェルと、シェルの上下開口端にそれぞれ装着される一対のドラムヘッドと、シェルの下開口端に装着されるドラムヘッドと接するようにシェルに取り付けられるスネアワイヤと、スネアワイヤをシェルに取り付けるのに用いられるスネアフレームと、スネアフレームをシェルに接続する接続部材とを備え、スネアワイヤは、複数のワイヤからなる響線部と、響線部の両端に設けられる一対の端プレートとを備え、スネアフレームは、スネアワイヤの長手方向に延びるフレーム本体と、フレーム本体の両端に設けられ、スネアワイヤの端プレートが固定される一対のフレーム端部とを備え、接続部材は、可撓性材料からなり、スネアフレームを用いてスネアワイヤをシェルに取り付けた状態で、一対のフレーム端部は、ドラムヘッドの外周縁よりも外側にそれぞれ配置されていることを要旨とする。
【００３３】
この構成によれば、請求項１に記載の発明と同等の作用効果を奏することができる。
【発明の効果】
【００３４】
本発明によれば、スネアドラム独特の音の響きが向上する。
【図面の簡単な説明】
【００３５】
【図１】本発明のスネアフレームが取り付けられたスネアドラムの斜視図。
【図２】スネアフレームが取り付けられたスネアドラムの側面図。
【図３】スネアフレームが取り付けられたスネアドラムの断面図。
【図４】スネアドラムの脚台座付近を拡大して示す部分斜視図。
【図５】スネアフレーム及びスネアワイヤの斜視図。
【図６】スネアフレームの分解斜視図。
【図７】スネアフレームの第１フレーム端部付近を側方から見た部分断面図。
【図８】スネアフレームの第１フレーム端部付近を下方から見た部分平面図。
【図９】スネアフレームの第２フレーム端部付近を側方から見た部分断面図。
【発明を実施するための形態】
【００３６】
以下、本発明のスネアワイヤの取付構造を具体化した一実施形態について図１〜図９を参照して説明する。
図１〜図３に示すように、スネアドラム１０は、円筒状のシェル１１、一対のドラムヘッド、スネアワイヤ１３，１４、スネアフレーム１５、接続部材としての４つの紐１６、ストレイナー１７及び保持具１８を備えている。スネアドラム１０には、スネアフレーム１５を用いて、２種類のスネアワイヤ１３，１４が取り付けられている。２種類のスネアワイヤ１３，１４のうち１つはコイル式スネアワイヤであり、もう一つはストレート式スネアワイヤである。スネアドラム１０には、スネアフレーム１５を用いて、１つのコイル式スネアワイヤと２つのストレート式スネアワイヤとが取り付けられている。
【００３７】
ドラムヘッドは、シェル１１の上開口端に上フープ２１と共に装着されることで、打面ヘッド１２ａとして機能する。ドラムヘッドは、シェル１１の下開口端に下フープ２２と共に装着されることで、裏面ヘッド１２ｂとして機能する。図１は、裏面ヘッド１２ｂを上向きにしたスネアドラム１０を示す。図２及び図３は、裏面ヘッド１２ｂを下向きにしたスネアドラム１０をそれぞれ示す。
【００３８】
スネアドラム１０は、シェル１１の上開口端に上フープ２１及び打面ヘッド１２ａを固定する８つの第１テンションボルト２３と、第１テンションボルト２３が螺合される８つの第１ラグ２４とを備えている。また、スネアドラム１０は、シェル１１の下開口端に下フープ２２及び裏面ヘッド１２ｂを固定する８つの第２テンションボルト２５と、第２テンションボルト２５が螺合される８つの第２ラグ２６とを備えている。第１及び第２ラグ２４，２６は、シェル１１の外周面にそれぞれ固定されている。
【００３９】
第１及び第２ラグ２４，２６は、上下方向に対をなすようにそれぞれ配置されている。また、第１及び第２ラグ２４，２６は、シェル１１の中心軸線周りに等角度間隔にそれぞれ配置されている。第１ラグ２４のネジ孔に挿入された第１テンションボルト２３を締め付けたり、緩めたりすることにより、シェル１１に対する上フープ２１の嵌め込み量が変更される。これにより、打面ヘッド１２ａの張力が変更される。同様に、第２ラグ２６のネジ孔に挿入された第２テンションボルト２５を締め付けたり、緩めたりすることにより、シェル１１に対する下フープ２２の嵌め込み量が変更される。これにより、裏面ヘッド１２ｂの張力が変更される。こうして、第１及び第２テンションボルト２３，２５を操作することで、スネアドラム１０の音が調節される。
【００４０】
図１及び図４に示すように、８つの第２テンションボルト２５のうち、スネアフレーム１５の両端部付近に配置される４つの長尺テンションボルト２５ａは、残りの第２テンションボルト２５よりも長くなっている。４つの長尺テンションボルト２５ａには、円筒状の脚台座２８がそれぞれ装着されている。脚台座２８は、長尺テンションボルト２５ａによって、下フープ２２のボルト締付部２２ａに固定されている。長尺テンションボルト２５ａは、脚台座２８が装着される部分の寸法だけ、残りの第２テンションボルト２５よりも長くなっている。
【００４１】
図２に示すように、スネアフレーム１５を用いてスネアワイヤ１３，１４をスネアドラム１０に取り付けた状態で、脚台座２８が装着されていない第２テンションボルト２５は、スネアフレーム１５の上縁よりも上方に配置されている。一方、脚台座２８が装着されている長尺テンションボルト２５ａは、スネアフレーム１５の下縁よりも下方に突出している。このため、長尺テンションボルト２５ａの先端は、裏面ヘッド１２ｂを下向きにしてスネアドラム１０を床面上に載置した場合、床面に接する。この場合、脚台座２８は、スネアドラム１０の脚部として機能する。
【００４２】
図１〜図３に示すように、ストレイナー１７及び保持具１８は、第１及び第２ラグ２４，２６を避けて、シェル１１の外周面にそれぞれ固定されている。ストレイナー１７及び保持具１８は、スネアフレーム１５の両端と対応する位置にそれぞれ配置されている。ストレイナー１７は、スネアワイヤ１３，１４の位置を切り換えるときに操作されるレバー１７ｂを有している。また、ストレイナー１７及び保持具１８は、紐１６が着脱されるホルダ１７ａ，１８ａをそれぞれ有している。また、ストレイナー１７及び保持具１８は、ホルダ１７ａ，１８ａの上下方向の位置を調整するときに操作される操作部１７ｃ，１８ｃをそれぞれ有している。スネアフレーム１５は、４つの紐１６を用いて、ストレイナー１７及び保持具１８のホルダ１７ａ，１８ａに接続されている。紐１６は、可撓性に加え、高い強度を有している。紐１６は、例えば、ポリエチレン、ポリプロピレン、ポリエステル、ナイロン（登録商標）等の樹脂材料から形成されている。
【００４３】
図５に示すように、スネアワイヤ１３は、コイル式スネアワイヤであり、複数のコイルワイヤからなる響線部１３ａと、一対の端プレート１３ｂとを備えている。端プレート１３ｂは、リング状に形成されると共に、響線部１３ａの両端のそれぞれに固定されている。スネアワイヤ１４は、ストレート式スネアワイヤであり、複数のストレートワイヤからなる響線部１４ａと、一対の端プレート１４ｂとを備えている。端プレート１４ｂは、リング状に形成されると共に、響線部１４ａの両端のそれぞれに固定されている。端プレート１３ｂ，１４ｂを響線部１３ａ，１４ａに固定する方法として、はんだ付け、溶接、接着などが挙げられる。スネアワイヤ１３，１４はいずれも、全面当たりのスネアワイヤである。
【００４４】
図５及び図６に示すように、スネアフレーム１５は、両スネアワイヤ１３，１４の長手方向に延びる一対のフレーム本体５１と、一対のフレーム本体５１の両端に組み付けられる第１及び第２フレーム端部５２，５３とを備えている。フレーム本体５１は、スネアワイヤ１３，１４の全長とほぼ同じ長さを有している。フレーム本体５１の第１端部５１ａ及び第２端部５１ｂには、取付片５１ｃがそれぞれ形成されている。一対のフレーム本体５１は、複数のねじ５５を用いて、第１端部５１ａの両取付片５１ｃ間に配置した第１フレーム端部５２と、第２端部５１ｂの両取付片５１ｃ間に配置した第２フレーム端部５３と、両中央部間に配置したパイプ５６とに組み付けられる。
【００４５】
フレーム本体５１において、紐１６が引っ掛けられる位置には、フック軸５７とストッパー５８とが設けられている。ストッパー５８は、フレーム本体５１の第１端部５１ａと中央部との中間位置、及びフレーム本体５１の第２端部５１ｂと中央部との中間位置にそれぞれ設けられている。フック軸５７は、ストッパー５８よりもフレーム本体５１の端部に近い位置に設けられている。フック軸５７は、フレーム本体５１に挿通されたネジ軸に内側からナット６０を締め付けることで、フレーム本体５１の外側に固定されている。ストッパー５８は、基端部に挿通されたボルト６１に内側からナット６２を締め付けることで、フレーム本体５１の外側に回動可能に取り付けられている。
【００４６】
フレーム本体５１の第１端部５１ａに対応して設けられたフック軸５７とストッパー５８とによって、第１着脱部５９ａが構成されている。また、フレーム本体５１の第２端部５１ｂに対応して設けられたフック軸５７とストッパー５８とによって、第２着脱部５９ｂが構成されている。第１着脱部５９ａの位置は、フレーム本体５１の長手方向の中央を中心に、第２着脱部５９ｂの位置と対称である。このため、第１及び第２着脱部５９ａ，５９ｂは、両フレーム本体５１の中央部間に配置したパイプ５６から等距離だけ離れた位置にそれぞれ配置されている。
【００４７】
図１及び図５に示すように、スネアフレーム１５は、４つの紐１６をフレーム本体５１に対して着脱可能に構成されている。例えば、図１及び図５の実線で示すように、ストッパー５８の先端部がフック軸５７と同位置になるまでストッパー５８が回動されると、ストッパー５８により、フック軸５７に引っ掛けられた紐１６が外れなくなる。こうして、ストッパー５８を回動操作することで、４つの紐１６を、フレーム本体５１の第１及び第２端部５１ａ，５１ｂと対応する位置にそれぞれ取着することができる。一方、図１及び図５の二点鎖線で示すように、ストッパー５８の先端部が上方を向くまでストッパー５８を回動操作すれば、フック軸５７が露出されるため、フック軸５７に引っ掛けられた４つの紐１６をフレーム本体５１から外すことができる。
【００４８】
図５及び図６に示すように、第１フレーム端部５２には、スネアワイヤ１３，１４の一方の端部に固定された端プレート１３ｂ，１４ｂが固定される。第１フレーム端部５２は、直方体状の端部本体６５と、スネアワイヤ１３，１４の端プレート１３ｂ，１４ｂが固定される３つの端プレート固定部６６とを備えている。また、第１フレーム端部５２は、３つの端プレート固定部６６のそれぞれに螺合される３つのネジ６７及び３つのボルト６８を備えている。
【００４９】
端部本体６５には、３つの収容空間６５ａが形成されている。各収容空間６５ａには、ｅリングと共に、端プレート固定部６６が一つずつ収容されている。端部本体６５の側壁には、収容空間６５ａに連通する３つの連通孔６５ｂが形成されている。３つの収容空間６５ａ及び３つの連通孔６５ｂは、端部本体６５の長手方向に等間隔でそれぞれ配列されている。
【００５０】
図７及び図８に示すように、端プレート固定部６６は、スネアワイヤ１３，１４の端プレート１３ｂ，１４ｂが引っ掛けられる引っ掛け部６６ａと、引っ掛け部６６ａの下方に設けられたフランジ６６ｂとを備えている。フランジ６６ｂは、端プレート固定部６６の下端部からフレーム本体５１の長手方向外側に突出している。また、端プレート固定部６６は、フランジ６６ｂの突出方向と直交する軸線Ｃ１を有するネジ孔６６ｃと、ネジ孔６６ｃと直交する方向に延びるボルト孔６６ｄとを有している。
【００５１】
端プレート１３ｂ，１４ｂには、引っ掛け部６６ａに引っ掛けられるときにフランジ６６ｂが通過する貫通孔１３ｃ，１４ｃが形成されている。ネジ孔６６ｃに螺合されるネジ６７の頭部６７ａの直径は、貫通孔１３ｃ，１４ｃの幅よりも大きい。このため、ネジ孔６６ｃに螺合されたネジ６７の頭部６７ａによって、端プレート固定部６６の引っ掛け部６６ａから、スネアワイヤ１３，１４の端プレート１３ｂ，１４ｂが脱落しなくなる。
【００５２】
スネアフレーム１５を用いてスネアワイヤ１３，１４をスネアドラム１０に取り付けた状態で、端プレート固定部６６は、ネジ孔６６ｃを下方に向けて、ボルト孔６６ｄを外側に向けて、端部本体６５の収容空間６５ａに配置されている。この状態で、ボルト６８が、端部本体６５の外側から連通孔６５ｂを通じて、端プレート固定部６６のボルト孔６６ｄに螺合されている。各端プレート固定部６６は、ボルト孔６６ｄに対するボルト６８の螺合量を変更することで、収容空間６５ａをボルト６８の軸線Ｃ２に沿って摺動可能に配置されている。つまり、第１フレーム端部５２には、３つのボルト６８を個別に操作することで、３つの端プレート固定部６６がそれぞれ独立して摺動可能に設けられている。
【００５３】
図５及び図６に示すように、第２フレーム端部５３には、スネアワイヤ１３，１４の他方の端部に固定された端プレート１３ｂ，１４ｂが固定される。第２フレーム端部５３は、直方体状の端部本体７５と、スライダ７４とを備えている。スライダ７４には、スネアワイヤ１３，１４の端プレート１３ｂ，１４ｂが固定される３つの端プレート固定部７６が一体形成されている。また、第２フレーム端部５３は、３つの端プレート固定部７６のそれぞれに螺合される３つのネジ７７と、スライダ７４に螺合される１つのボルト７８とを備えている。端部本体７５には、１つの収容空間７５ａが形成されている。収容空間７５ａには、ｅリングと共に、スライダ７４が収容されている。端部本体７５の側壁には、収容空間７５ａに連通する１つの連通孔７５ｂが形成されている。
【００５４】
図９に示すように、第２フレーム端部５３の各端プレート固定部７６は、第１フレーム端部５２の端プレート固定部６６と同様に、引っ掛け部７６ａ及びフランジ７６ｂを備えている。第２フレーム端部５３の引っ掛け部７６ａ及びフランジ７６ｂは、第１フレーム端部５２の引っ掛け部６６ａ及びフランジ６６ｂと同じであるため、その説明を省略する。
【００５５】
スネアフレーム１５を用いてスネアワイヤ１３，１４をスネアドラム１０に取り付けた状態で、スライダ７４は、ネジ孔７４ｃを下方に向けて、ボルト孔７４ｄを外側に向けて、端部本体７５の収容空間７５ａに配置されている。ボルト７８は、端部本体７５の外側から連通孔７５ｂを通じて、スライダ７４のボルト孔７４ｄに螺合されている。スライダ７４は、ボルト孔７４ｄに対するボルト７８の螺合量を変更することで、収容空間７５ａをボルト７８の軸線Ｃ３に沿って摺動可能に配置されている。つまり、第２フレーム端部５３には、ボルト７８を操作することでスライダ７４が摺動可能に、それにより３つの端プレート固定部７６が一体となって摺動可能に設けられている。
【００５６】
図５及び図６に示すように、第１及び第２フレーム端部５２，５３を一対のフレーム本体５１に組み付けた状態で、第１フレーム端部５２の３つの端プレート固定部６６が、第２フレーム端部５３の３つの端プレート固定部７６と対をなすように配置される。本実施形態では、スネアワイヤ１３が、スネアフレーム１５の中心軸線上に配置されるように、第１及び第２フレーム端部５２，５３に固定される。また、２つのスネアワイヤ１４が、スネアフレーム１５の中心軸線に沿ってスネアワイヤ１３の両側にそれぞれ配置されるように、第１及び第２フレーム端部５２，５３に固定される。
【００５７】
図１〜図３に示すように、スネアワイヤ１３，１４を固定したスネアフレーム１５が、４つの紐１６を用いて、シェル１１の下開口端に取り付けられている。この状態で、スネアワイヤ１３，１４の端プレート１３ｂ，１４ｂが、裏面ヘッド１２ｂの外周縁よりも外側にはみ出している。また、この状態で、スネアワイヤ１３，１４の響線部１３ａ，１４ａのみが裏面ヘッド１２ｂに当接されている。スネアワイヤ１３，１４は、響線部１３ａ，１４ａのほぼ全体を裏面ヘッド１２ｂに当接させて、シェル１１の下開口端に取り付けられている。
【００５８】
スネアフレーム１５においては、第１及び第２フレーム端部５２，５３が、裏面ヘッド１２ｂの外周縁よりもシェル１１の径方向外側にそれぞれ配置されている。第１フレーム端部５２は、ストレイナー１７のホルダ１７ａの下方に配置されている。第１フレーム端部５２は、シェル１１の軸線方向から見て、ホルダ１７ａと重なる位置に配置されている。第２フレーム端部５３は、保持具１８のホルダ１８ａの下方に配置されている。第２フレーム端部５３は、シェル１１の軸線方向から見て、ホルダ１８ａと重なる位置に配置されている。
【００５９】
また、４つの紐１６は、フック軸５７及びストッパー５８によって、裏面ヘッド１２ｂの外周縁よりも内側でスネアフレーム１５に接続されている。具体的には、フレーム本体５１の第１端部５１ａ付近では、紐１６が、第１着脱部５９ａによって、フレーム本体５１の第１端部５１ａと中央部との中間位置に接続されている。フレーム本体５１の第２端部５１ｂ付近では、紐１６が、第２着脱部５９ｂによって、フレーム本体５１の第２端部５１ｂと中央部との中間位置に接続されている。４つの紐１６は、裏面ヘッド１２ｂの外周縁と下フープ２２の外枠とにより折り曲げられた状態で、スネアフレーム１５をスネアドラム１０にそれぞれ接続している。
【００６０】
次に、上記のスネアワイヤ１３，１４の取付構造による作用を、スネアワイヤ１３，１４の取付手順と併せて、図１〜図３を参照して説明する。まず、スネアワイヤ１３，１４の取付手順を説明する。
【００６１】
図１〜図３に示すように、スネアフレーム１５を用いてスネアワイヤ１３，１４をスネアドラム１０に取り付けるため、まず、４つの紐１６を用いて、スネアフレーム１５が、ストレイナー１７及び保持具１８の各ホルダ１７ａ，１８ａに接続される。次に、ストレイナー１７のレバー１７ｂを回動操作することで、ストレイナー１７のホルダ１７ａに接続された２つの紐１６によって、スネアフレーム１５が、図２及び図３の二点鎖線で示す非使用位置から、実線で示す使用位置に持ち上げられる。その結果、スネアワイヤ１３，１４の位置が、裏面ヘッド１２ｂから離間したオフ位置から、裏面ヘッド１２ｂと接するオン位置に切り換えられる。
【００６２】
スネアワイヤ１３，１４の位置をオフ位置からオン位置に切り換えた後、スネアフレーム１５の上下方向の位置を調整するため、ホルダ１７ａ，１８ａ側で、４つの紐１６の有効長さをそれぞれ変更する。紐１６の有効長さとは、紐１６がホルダ１７ａと第１着脱部５９ａ又はホルダ１８ａと第２着脱部５９ｂとに装着されている状態で接続部材として機能する長さを意味する。言い換えれば、紐１６の有効長さは、スネアワイヤ１３，１４の位置がオン位置に切り換えられた状態でホルダ１７ａと第１着脱部５９ａとを接続する紐１６の見かけ上の長さ、又はスネアワイヤ１３，１４の位置がオン位置に切り換えられた状態でホルダ１８ａと第２着脱部５９ｂとを接続する紐１６の見かけ上の長さを意味する。
【００６３】
スネアワイヤ１３，１４の位置がオン位置に切り換えられた後、操作部１７ｃ，１８ｃを操作し、ホルダ１７ａ，１８ａの上下方向の位置をそれぞれ変更することによって、スネアフレーム１５の上下方向の位置を更に調整する。こうして、スネアワイヤ１３，１４をオン位置に配置した状態で、４つの紐１６の有効長さをそれぞれ調整したり、ホルダ１７ａ，１８ａの上下方向の位置をそれぞれ変更したりすることで、スネアワイヤ１３，１４の響線部１３ａ，１４ａと裏面ヘッド１２ｂの接触状態が微調整される。
【００６４】
スネアフレーム１５をスネアドラム１０から取り外す場合、図１の二点鎖線に示すように、ストッパー５８の先端部が上方を向くまで、４つのストッパー５８を全て回動させる。続いて、フック軸５７に引っ掛けられた４つの紐１６を全て外す。そして、ホルダ１７ａ，１８ａに４つの紐１６を残したまま、スネアフレーム１５をスネアドラム１０から取り外す。このとき、４つの紐１６は、調整後の長さのまま状態で、ホルダ１７ａ，１８ａに接続されている。
【００６５】
次に、スネアワイヤ１３，１４の取付構造による作用について説明する。
スネアフレーム１５及びスネアドラム１０に接続するのに用いられる４つの紐１６は、可撓性材料からなる。この場合、スネアフレーム１５と各ホルダ１７ａ，１８ａとの接続部分には、４つの紐１６により可撓性が付与されている。この構成によれば、接続部材として金属製のリンク部品を用いる構成とは異なり、スネアフレーム１５の振動が妨げられることはない。よって、スネアワイヤ１３，１４の振動が妨げられなくなり、スネアワイヤ１３，１４の振動音を響かせることができる。
【００６６】
また、第１及び第２フレーム端部５２，５３はいずれも、裏面ヘッド１２ｂの外周縁よりもシェル１１の径方向外側にそれぞれ配置されている。このため、裏面ヘッド１２ｂに対して、スネアワイヤ１３，１４の響線部１３ａ，１４ａのみを接触させることができる。つまり、裏面ヘッド１２ｂに対する響線部１３ａ，１４ａの接触量を大きくするために紐１６を強く引っ張っても、スネアワイヤ１３，１４の端プレート１３ｂ，１４ｂが裏面ヘッド１２ｂの表面に食い込むことはない。これにより、端プレート１３ｂ，１４ｂにより裏面ヘッド１２ｂの振動が妨げられないため、打面ヘッド１２ａ及び裏面ヘッド１２ｂの振動音を響かせることができる。従って、スネアドラム１０独特の音の響きが向上する。
【００６７】
従って、本実施形態によれば、以下のような効果を得ることができる。
（１）接続部材として用いられる４つの紐１６が可撓性材料からなるため、スネアフレーム１５の振動が妨げられることはない。これにより、スネアワイヤ１３，１４の振動が妨げられないため、スネアワイヤ１３，１４の振動音を響かせることができる。また、第１及び第２フレーム端部５２，５３を裏面ヘッド１２ｂの外周縁よりも外側にそれぞれ配置したことで、スネアワイヤ１３，１４の端プレート１３ｂ，１４ｂが裏面ヘッド１２ｂの表面に食い込むことはない。これにより、端プレート１３ｂ，１４ｂにより裏面ヘッド１２ｂの振動が妨げられないため、打面ヘッド１２ａ及び裏面ヘッド１２ｂの振動音も響かせることができる。
【００６８】
（２）第１フレーム端部５２は、ストレイナー１７のホルダ１７ａの下方でかつシェル１１の軸線方向から見てホルダ１７ａと重なる位置に配置されている。第２フレーム端部５３は、保持具１８のホルダ１８ａの下方でかつシェル１１の軸線方向から見てホルダ１８ａと重なる位置に配置されている。この構成によれば、第１及び第２フレーム端部５２，５３をホルダ１７ａ，１８ａの直下にそれぞれ配置することができる。この場合、第１及び第２フレーム端部５２，５３が、裏面ヘッド１２ｂの外周縁から外側へ離れた位置にそれぞれ配置される。このため、裏面ヘッド１２ｂの表面に対して、響線部１３ａ，１４ａの振動し易い部分を接触させることができる。これにより、スネアワイヤ１３，１４を効果的に振動させることができ、スネアワイヤ１３，１４の振動音をより一層響かせることができる。また、この場合、シェル１１の径方向外側へのスネアフレーム１５の出っ張りが小さいため、スネアドラム１０の演奏時にスネアフレーム１５が邪魔にならない。
【００６９】
（３）４つの紐１６は、フック軸５７及びストッパー５８によって、裏面ヘッド１２ｂの外周縁よりも内側でスネアフレーム１５に接続されている。この構成によれば、４つの紐１６は、裏面ヘッド１２ｂの外周縁により折り曲げられた状態で、スネアフレーム１５をスネアドラム１０に接続することができる。これにより、４つの紐１６に一定の張力が作用している状態で、スネアフレーム１５をスネアドラム１０に接続することができる。よって、打面ヘッド１２ａを傾斜させてスネアドラム１０を演奏する場合にも、スネアワイヤ１３，１４の響線部１３ａ，１４ａと裏面ヘッド１２ｂの接触状態が良好に維持される。このため、スネアワイヤ１３，１４の振動音をより一層響かせることができる。
【００７０】
また、本実施形態では、スネアフレーム１５をスネアドラム１０に接続するのに、４つの紐１６を用いている。また、スネアフレーム１５は、スネアフレーム１５の４隅に対応する紐１６の有効長さを独立して調節可能に構成されている。この場合、４つの紐１６の有効長さをそれぞれ変更することにより、スネアワイヤ１３，１４の響線部１３ａ，１４ａと裏面ヘッド１２ｂの接触状態を微調整することができる。よって、スネアドラム１０の設置角度によらず、スネアワイヤ１３，１４の響線部１３ａ，１４ａを、裏面ヘッド１２ｂに対して均等に接触させることが容易となる。
【００７１】
（４）紐１６は、ストレイナー１７及び保持具１８の各ホルダ１７ａ，１８ａ、及びスネアフレーム１５の第１及び第２着脱部５９ａ，５９ｂのいずれかに対して着脱される。この構成によれば、スネアフレーム１５及びスネアドラム１０のいずれかから紐１６を外すだけで、スネアドラム１０からスネアフレーム１５を取り外すことができる。この場合、スネアフレーム１５にスネアワイヤ１３，１４を固定したまま、スネアワイヤ１３，１４の張力を変えずに、スネアドラム１０からスネアフレーム１５を取り外すことができる。
【００７２】
また、裏面ヘッド１２ｂに対して響線部１３ａ，１４ａが均一に接触するように紐１６の有効長さを調整した場合、調整後の紐１６の有効長さを変えずに、紐１６をスネアフレーム１５及びスネアドラム１０のいずれかに残したまま、スネアドラム１０からスネアフレーム１５を取り外すこともできる。よって、この構成によれば、スネアドラム１０からスネアフレーム１５を取り外した状態でも、スネアワイヤ１３，１４の張力や紐１６の有効長さを、調整後の状態にそれぞれ維持することができる。よって、前回演奏したときのスネアドラム１０の音を容易に再現することができる。
【００７３】
また、紐１６をスネアフレーム１５とスネアドラム１０とに対してそれぞれ着脱可能とすることで、従来構成のように、スネアワイヤを取り外す度に、紐でスネアワイヤを引っ張ったり緩めたりすることがない。このため、スネアドラム１０からスネアフレーム１５を容易に取り外すことができる。よって、ドラムヘッドの交換が容易に行えると共に、スネアワイヤ１３，１４の響線部１３ａ，１４ａへの負荷を軽減することもできる。
【００７４】
（５）第１着脱部５９ａの位置は、フレーム本体５１の長手方向の中央を中心に、第２着脱部５９ｂの位置と対称である。この構成によれば、スネアドラム１０からスネアワイヤ１３，１４を取り外した後、スネアフレーム１５を、スネアドラム１０から取り外す前と逆向きにして、スネアドラム１０に取り付けることができる。また、この場合、前回演奏したときのスネアドラム１０の音を再現することもできる。
【００７５】
（６）第１フレーム端部５２の３つの端プレート固定部６６を、第２フレーム端部５３の３つの端プレート固定部７６と対をなすように配置したことで、ストレートアワイヤやコイルワイヤからなる種類の異なる複数のスネアワイヤ１３，１４を、スネアフレーム１５に取り付けることができる。よって、種類の異なる複数のスネアワイヤ１３，１４によって、スネアドラム１０独特の音をより一層響かせることができる。
【００７６】
（７）第１フレーム端部５２には、３つの端プレート固定部６６がそれぞれ独立して摺動可能に設けられている。この構成によれば、３つのボルト６８を個別に操作することで、スネアワイヤ１３，１４の各張力を別々に調整することができる。また、裏面ヘッド１２ｂに対するスネアワイヤ１３，１４の響線部１３ａ，１４ａの接触量を微調整することもできる。
【００７７】
また、第２フレーム端部５３には、３つの端プレート固定部７６が一体となって摺動可能に設けられている。この構成によれば、スネアワイヤ１３，１４を同時に引っ張ったり緩めたりすることができる。これにより、スネアワイヤ１３，１４に張力を加えたり、スネアワイヤ１３，１４の張力を解除したりする作業が容易となる。よって、スネアフレーム１５に対してスネアワイヤ１３，１４を着脱する作業が容易となる。
【００７８】
（８）第１フレーム端部５２の端プレート固定部６６は、スネアワイヤ１３，１４の端プレート１３ｂ，１４ｂが引っ掛けられる引っ掛け部６６ａと、引っ掛け部６６ａの下方に設けられたフランジ６６ｂとを備えている。第２フレーム端部５３の端プレート固定部７６は、第１フレーム端部５２の端プレート固定部６６と同様に構成されている。この構成によれば、スネアワイヤ１３，１４の端プレート１３ｂ，１４ｂを端プレート固定部６６，７６に引っ掛ければ、端プレート１３ｂ，１４ｂは、端プレート固定部６６，７６のフランジ６６ｂ，７６ｂによって下方から支持される。これにより、スネアワイヤ１３，１４に一定の張力が作用している状態では、スネアワイヤ１３，１４の両端がスネアフレーム１５に支持されるため、スネアワイヤ１３，１４がスネアフレーム１５から脱落しなくなる。よって、スネアドラム１０の音調作業時において、スネアワイヤ１３，１４を交換する度にスネアワイヤ１３，１４の端プレート１３ｂ，１４ｂをスネアフレーム１５にネジで固定する必要がない。
【００７９】
また、例えば、スネアドラム１０の演奏中にスネアワイヤ１３，１４の張力を調整する場合、スネアワイヤ１３，１４に張力が作用しない状態になることもある。この場合、スネアワイヤ１３，１４の端プレート１３ｂ，１４ｂは、端プレート固定部６６，７６のネジ孔６６ｃ，７４ｃに螺合されたネジ６７，７７の頭部６７ａ，７７ａによって、下方から保持される。このため、スネアワイヤ１３，１４に張力が作用しない状態であっても、スネアワイヤ１３，１４はスネアフレーム１５から脱落しなくなる。
【００８０】
また、この構成によれば、端プレート１３ｂ，１４ｂは、端プレート固定部６６，７６にネジ６７，７７で固定されておらず、回動可能な状態で保持されている。このため、端プレート１３ｂ，１４ｂは、響線部１３ａ，１４ａの両端でそれぞれ回動すると共に、スネアワイヤ１３，１４の響線部１３ａ，１４ａに対して張力が均等に作用する位置へと動くことができる。
【００８１】
（９）スネアフレーム１５の両端部付近に配置される４つの第２テンションボルト２５には、脚台座２８がそれぞれ装着されている。この構成によれば、スネアフレーム１５を用いて両スネアワイヤ１３，１４が取り付けられたスネアドラム１０を床面上に載置する場合、４つの脚台座２８によって、スネアフレーム１５に負荷がかからないように、スネアフレーム１５を床面よりも上方に配置することができる。
【００８２】
本実施形態は、以下のように変更してもよい。
・本実施形態において、接続部材としての紐１６を用いたが、ベルトであってもよい。この場合も、ベルトの材料には、可撓性に加え高い強度を有するナイロン等の樹脂材料が用いられる。
【００８３】
・本実施形態において、第１フレーム端部５２を、ストレイナー１７のホルダ１７ａの下方でかつ裏面ヘッド１２ｂの外周縁とホルダ１７ａとの間に配置してもよい。同様に、第２フレーム端部５３を、保持具１８のホルダ１８ａの下方でかつ裏面ヘッド１２ｂの外周縁とホルダ１８ａとの間に配置してもよい。
【００８４】
・本実施形態において、４つの紐１６を用いて、裏面ヘッド１２ｂの外周縁よりも外側で、スネアフレーム１５の各端部を、ストレイナー１７のホルダ１７ａと保持具１８のホルダ１８ａとに接続してもよい。
【００８５】
・本実施形態において、ホルダ１７ａ，１８ａに４つの紐１６を残したまま、第１及び第２着脱部５９ａ，５９ｂから４つの紐１６を外すことで、スネアフレーム１５をスネアドラム１０から取り外していた。つまり、ホルダ１７ａ，１８ａ側で４つの紐１６の有効長さをそれぞれ調整し、調整後の紐１６の有効長さを変えずに、スネアフレーム１５から４つの紐１６を外していたが、これに限定されない。例えば、スネアフレーム１５に４つの紐１６を残したまま、ホルダ１７ａ，１８ａから４つの紐１６を外すことで、スネアフレーム１５をスネアドラム１０から取り外してもよい。この場合、スネアフレーム１５側で４つの紐１６の有効長さをそれぞれ調整し、調整後の紐１６の有効長さを変えずに、ホルダ１７ａ，１８ａから４つの紐１６を外せばよい。
【００８６】
・本実施形態において、スネアフレーム１５をスネアドラム１０に接続するのに４つの紐１６を用いると共に、４つの紐１６の有効長さをそれぞれ調整可能としたが、これに限定されない。例えば、２つの紐１６をスネアフレーム１５の両端にそれぞれ固定すると共に、２つの紐１６の有効長さをそれぞれ調整可能としてもよい。つまり、スネアフレーム１５の４隅に対応する紐１６の有効長さを独立して調節することができれば、任意の数の紐１６を用いてもよい。
【００８７】
・本実施形態において、スネアフレーム１５には、同じ種類のスネアワイヤを取り付けたり、１又は２つ以上のスネアワイヤを取り付けたりしてもよい。また、スネアフレーム１５に２つ以上のスネアワイヤを取り付ける場合、全てのスネアワイヤの種類が異なっていてもよい。
【００８８】
・本実施形態において、第１フレーム端部５２から、３つの端プレート固定部６６を摺動可能とする構成を省略してもよい。同様に、第２フレーム端部５３から、スライダ７４を摺動可能とする構成を省略してもよい。
【符号の説明】
【００８９】
１０…スネアドラム、１１…シェル、１２ａ…打面ヘッド（ドラムヘッド）、１２ｂ…裏面ヘッド（ドラムヘッド）、１３，１４…スネアワイヤ、１３ａ，１４ａ…響線部、１３ｂ，１４ｂ…端プレート、１５…スネアフレーム、１６…紐（接続部材）、１７ａ，１８ａ…ホルダ、２４，２６…ラグ、２３，２５…テンションボルト、２８…脚台座、５１…フレーム本体、５１ａ…第１端部、５１ｂ…第２端部、５２…第１フレーム端部、５３…第２フレーム端部、５９ａ…第１着脱部、５９ｂ…第２着脱部、６６，７６…端プレート固定部、６６ａ，７６ａ…引っ掛け部、６６ｂ，７６ｂ…フランジ、６６ｃ，７４ｃ…ネジ孔、６７，７７…ネジ。
【図１】
2020134818.tif 000003
【図２】
2020134818.tif 000004
【図３】
2020134818.tif 000005
【図４】
2020134818.tif 000006
【図５】
2020134818.tif 000007
【図６】
2020134818.tif 000008
【図７】
2020134818.tif 000009
【図８】
2020134818.tif 000010
【図９】
2020134818.tif 000011